(57)【要約】【課題】可変入賞装置が開放された際に視覚的な面白さを付加して、遊技の興趣をさらに高める。【解決手段】遊技球が流下する遊技領域Ｅにおける下方右領域Ｅ３に可変入賞装置５を設けるとともに、当該可変入賞装置５に入賞した遊技球Ｂが流下する領域に表示窓６１を設けて流下する遊技球Ｂを視認可能とする。【選択図】        図１
2011019543.tif 000002
【特許請求の範囲】
【請求項１】
遊技球が流下する遊技領域における下方の左右領域の少なくとも一方に可変入賞装置を設けるとともに、当該可変入賞装置に入賞した遊技球が流下する領域を視認可能に形成したことを特徴とする遊技機の可変入賞機構。  
【請求項２】
前記可変入賞装置を、前記遊技領域を囲む遊技領域区画部材に沿って湾曲して延びる形状に成形するとともに、互いにずれた閉鎖位置に進出して前記可変入賞装置の上方へ向く開口を閉鎖する複数のスライド蓋を設け、前記スライド蓋は後退した開放位置で互いに重なって前記開口を開放することを特徴とする請求項１に記載の遊技機の可変入賞機構。
【請求項３】
前記流下する領域を、前記遊技領域区画部材の外方に配置したことを特徴とする請求項１又は２に記載の遊技機の可変入賞機構。
【発明の詳細な説明】
【技術分野】
【０００１】
本発明は遊技機の可変入賞機構に関し、特に遊技の興趣を向上させた遊技機の可変入賞機構に関する。
【背景技術】
【０００２】
特許文献１には、遊技盤の下方左右位置の、ガイドレールに近接する位置にこれに沿って斜めに長方形状の大入賞口（可変入賞装置）を設けた遊技機が開示されている。上記大入賞口はこれを閉鎖する長方形状の蓋体が、所定の条件成立により傾倒して入球し易い開放状態に移行することにより遊技の興趣を高めている。
【先行技術文献】
【特許文献】
【０００３】
【特許文献１】特開２００６−６１６７５
【発明の概要】
【発明が解決しようとする課題】
【０００４】
ところで、上記従来の遊技機では一定条件の成立によって可変入賞装置が大きく開いて入賞の確率が高まることにより遊技の興趣が向上させられるものの、視覚的な面白さには未だ欠けるという問題があった。
【０００５】
そこで、本発明はこのような課題を解決するもので、遊技領域を拡大させるとともに可変入賞装置が開放された際に視覚的な面白さを付加して、遊技の興趣をさらに高めた遊技機の可変入賞機構を提供することを目的とする。
【課題を解決するための手段】
【０００６】
上記目的を達成するために、本第１発明では、遊技球が流下する遊技領域（Ｅ）における下方の左右領域の少なくとも一方（Ｅ３）に可変入賞装置（５，７，８）を設けるとともに、当該可変入賞装置（５，７，８）に入賞した遊技球が流下する領域（６１，６４，６７）を視認可能に形成する。
【０００７】
本第１発明においては、可変入賞装置内に入賞した遊技球の流下の様子を視認できるから、視覚的な面白さにより遊技の興趣が大きく向上させられる。そして、このような可変入賞装置を遊技領域における下方の左右領域の少なくとも一方に設けるようにしたから、遊技領域を広く使ってそのデザインの自由度を向上させることができ、また、遊技領域内における各種遊技装置の設置スペースを拡大することができる。
【０００８】
本第２発明では、前記可変入賞装置（８）を、前記遊技領域（Ｅ）を囲む遊技領域区画部材（１１）に沿って湾曲して延びる形状に成形するとともに、互いにずれた閉鎖位置に進出して前記可変入賞装置（８）の上方へ向く開口（８１２）を閉鎖する複数のスライド蓋（８３，８４）を設け、前記スライド蓋（８３，８４）は後退した開放位置で互いに重なって前記開口（８１２）を開放することを特徴とする。
【０００９】
本第２発明においては、可変入賞装置を、遊技領域区画部材に沿って湾曲して延びる形状に成形しているから、遊技領域をより広く使ってそのデザインの自由度をさらに向上させることができる。また、開口をスライド蓋で閉鎖した状態の時には、そのスライド蓋で形成された面を湾曲した滑らかな形状で形成することができるので、そこを流下する遊技球を適切に下流側へと流下させることができる。加えて、複数のスライド蓋で可変入賞装置の開口を開閉しているから、大面積の開口をコンパクトな構造で開閉することができる。
【００１０】
本第３発明では、前記流下する領域（６７）を、前記遊技領域区画部材（１１）の外方に配置したことを特徴とする。本第３発明においては、遊技球が流下する領域を遊技領域区画部材の外方に配置したから、遊技領域をさらに広く確保しつつ、そのデザインの自由度を向上させることができる。また、従来あまり遊技球が流下する領域として使用していなかった部位を、視認可能な流下領域として利用しているので、視覚的な面白さをさらに向上させることができる。
【００１１】
上記カッコ内の符号は、後述する実施形態に記載の具体的手段との対応関係を示すものである。
【発明の効果】
【００１２】
以上のように、本発明によれば、遊技領域が拡大するとともに、可変入賞口が開放された際に視覚的な面白さを付加して、遊技の興趣をさらに高めることができる。
【図面の簡単な説明】
【００１３】
【図１】本発明の第１実施形態における可変入賞機構を設けた遊技機の遊技盤の正面図である。
【図２】本発明の第２実施形態における可変入賞機構を設けた遊技機の遊技領域の右下領域の拡大正面図である。
【図３】本発明の第３実施形態における可変入賞機構を設けた遊技機の遊技領域の右下領域の拡大正面図である。
【図４】可変入賞装置の全体斜視図である。
【図５】開口閉鎖状態の可変入賞装置の全体正面図である。
【図６】開口開放状態の可変入賞装置の全体正面図である。
【図７】本発明の第４実施形態における可変入賞機構を設けた遊技機の遊技領域の右下領域の拡大正面図である。
【発明を実施するための形態】
【００１４】
（第１実施形態）
図１には本発明の第１実施形態における可変入賞機構を設けた遊技機の遊技盤を示す。遊技盤１の遊技領域Ｅは内外で一部重なった略円形の遊技領域区画部材としてのガイドレール１１によってその内方に区画形成されている。内外で一部重なったガイドレール１１の間には漸次狭小となって下方より上方へ湾曲する通路１２が形成されており、当該通路１２は、遊技球発射装置から打ち出された遊技球を遊技領域Ｅにおける上方領域Ｅ１へ案内する案内路となっている。なお、遊技盤１の前面には遊技領域Ｅを視認可能なように開口部が形成されたガラス枠が設けられている。
【００１５】
遊技領域Ｅには中央に、液晶等による矩形の図柄表示装置（以下、表示装置という）２が設けられており、その周囲は、適宜位置に発光する装飾体や可動演出体等（図示略）を設けた装飾領域Ｆとなっている。装飾領域Ｆはその右上方縁がガイドレール１１に接近して、これらの間に遊技領域Ｅにおける上方領域Ｅ１から下方右領域Ｅ３へ至る球流路１３が形成されている。
【００１６】
表示装置２の直下の、遊技領域における下端領域Ｅ２には、入球によって表示装置２の図柄変更を始動させる始動入賞口３１とチューリップ型の電動役物３が設けられており、電動役物３の直下には水平姿勢で長方形の可変入賞装置４１が、さらにその直下にはアウト口４３がそれぞれ設けられている。可変入賞装置４１は長方形状の蓋体が起立してこれを閉鎖するとともに、所定の条件成立により傾倒して入球し易い開放状態に移行する従来と同様の構造のものである。また、これら電動役物３および可変入賞装置４１の左右複数位置には入賞口４２が設けられている。
【００１７】
ここで、遊技領域Ｅにおける下方右領域Ｅ３には水平姿勢で上記と同様の構造の可変入賞装置５が設けられており、その下方のガイドレール１１に至る遊技盤面は透明な材料で形成された表示窓６１となっている。そして、表示窓６１に臨む遊技盤１内には、適宜駆動機構（図示略）で駆動される可動演出体６３、例えば人形等が設けられている。
【００１８】
このような構造の遊技機において、遊技球を球発射装置によって遊技領域Ｅ内に打ち出すと、遊技球は遊技領域Ｅ内を流下し下端領域Ｅ２に達する。ここで遊技球が始動入賞口３１に入賞すると、表示装置２の図柄が変動する。ここで図柄が特定の図柄で停止すると、いわゆる大当り状態となり、可変入賞装置５または可変入賞装置４１のいずれか一方の可変入賞装置の開放が選択される。ここで可変入賞装置５の開放が選択された場合、遊技球を大きな発射力で遊技領域Ｅ内に打ち出すことにより、遊技球は球流路１３を経て遊技領域Ｅ内における下方右領域Ｅ３に達し、可変入賞装置５内へ進入し入賞する。入賞した遊技球Ｂは図１に示すように、内部に形成された流下通路６２を経由して可動演出体６３の上に落下する。この時、流下通路６２を流下する遊技球Ｂを適宜球検知スイッチ（図示略）で検出することにより、適宜タイミングで駆動機構を駆動させて可動演出体６３が振動作動させられる。同時に、可動演出体６３に衝突した遊技球Ｂは落下速度が減殺されるとともにその方向を変えつつ下方へ流下する。この間、遊技者は、可変入賞装置５内に入賞した遊技球Ｂによって作動させられる可動演出体６３の動きや、遊技球Ｂの流下の様子を透明な表示窓６１を通して視認することができ、視覚的な面白さによって遊技の興趣が大きく向上させられる。
【００１９】
なお、可動演出体６３は必ずしも駆動機構によって作動するものである必要は無く、可動演出体６３をバネ等で支持し、遊技球Ｂが当ることによって作動させられるものであっても良い。また、可動演出体６３の作動は、可変入賞装置内への遊技球Ｂの入賞に伴って可動することに限らず、遊技中の予告演出や、表示装置２の画像表示と連動させた遊技演出等、様々なタイミングで動作させても良い。        
【００２０】
（第２実施形態）
図２には本発明の第２実施形態における可変入賞機構を設けた遊技機の遊技盤１の要部を示し、遊技領域における下方右領域Ｅ３の拡大図である。本実施形態においては可変入賞装置７はチューリップ型のものであり、その下方の遊技盤面は、透明材料による略長円形の表示窓６４になっている。そして、表示窓６４に臨む遊技盤１内には、渦巻状に漸次下降して中心の球排出孔６６に至る球流路６５が形成されている。他の構造は第１実施形態と同様である。
【００２１】
このような構造の遊技機において、第１実施形態で説明したと同様に、遊技球が始動入賞口３１（図１）に入賞し、大当り状態となってチューリップ型の開閉部を有する可変入賞装置７が開放した場合、遊技球を大きな発射力で遊技領域Ｅ内に打ち出すことにより、遊技球は球流路１３を経て遊技領域Ｅ内における下方右領域Ｅ３に達し、可変入賞装置７内へ進入し入賞する。入賞した遊技球Ｂは図２に示すように球流路６５上に落下した後、当該球流路６５上を矢印で示すように旋回し、この後、球排出孔６６から排出される。この間、遊技者は、球流路６５上を旋回転動しつつ球排出孔６６に至る遊技球Ｂの様子を透明な表示窓６４を通して視認できるから、視覚的な面白さにより遊技の興趣が大きく向上させられる。
【００２２】
（第３実施形態）
図３には本発明の第３実施形態における可変入賞機構を設けた遊技機の遊技盤１の要部を示し、遊技領域Ｅにおける下方右領域Ｅ３の拡大図である。本実施形態において可変入賞装置８は詳細を後述する構造を有し、ガイドレール１１に沿って湾曲して延びる円弧状の箱体に成形されている。可変入賞装置８の下方の、ガイドレール１１外の遊技盤面は、透明材料による略長円形の表示窓６７になっており、表示窓６７に臨む遊技盤１内には第２実施形態におけると同様の、渦巻状に漸次下降して中心の球排出孔６９に至る球流路６８が形成されている。なお、このように表示窓６７がガイドレール１１外に設けられる場合には、遊技盤１の前面に設けられるガラス枠の開口部は、遊技領域Ｅとともに表示窓６７も視認可能な形状にしてある。
【００２３】
図４には可変入賞装置８の斜視図を示す。可変入賞装置８は、円弧状に湾曲したハウジング８１を備えており、一方の側面には遊技盤１への取付用板８２が接合されている。ハウジング８１は上方を向くその内周面８１１の中央部が、両側面に至るまで切り欠かれて開口８１２となっている。そして、この開口８１２は図示のように、スライド移動可能な二枚のスライド蓋８３，８４が適宜駆動源を用いた駆動機構（図示略）により、互いにずれた位置へ進出（下り階段状に進出）することによって閉鎖されている。また、閉鎖状態にある時には下側のスライド蓋８４の下端部の上面とこれに接する内周面８１１の上面とが略同一面で連続するように形成されている。
【００２４】
この閉鎖状態では、図５に示すように、遊技球Ｂが可変入賞装置８へ流下してきても、遊技球Ｂは開口８１２内への入賞を阻止されてハウジング８１の内周面８１１に沿って下方へ流下させられる。これに対して、第１実施形態で説明したと同様に、遊技球が始動入賞口３１（図１）に入賞し、大当り状態となって、可変入賞装置８へ開放信号が出力されると、図６に示すようにスライド蓋８３，８４が互いに重なるようにハウジング８１の端部内へ後退させられ、開口８１２が大きく開放される。遊技盤の他の構造は第１実施形態と同様である。
【００２５】
可変入賞装置８の開口８１２が開放された状態で、遊技球を大きな発射力で遊技領域Ｅ内に打ち出すことにより、遊技球は球流路１３を経て遊技領域Ｅ内における下方右領域Ｅ３に達し、遊技球Ｂが図６の矢印で示すように可変入賞装置８内へ入賞すると、遊技球Ｂは図３に示すように球流路６８上に落下した後、当該球流路６８上を矢印で示すように旋回した後、球排出孔６９から排出される。この間、遊技者は、球流路６８上を旋回転動しつつ球排出孔６９に至る遊技球Ｂの様子を透明な表示窓６７を通して視認できるから、視覚的な面白さにより遊技の興趣が大きく向上させられる。また、本実施形態では、可変入賞装置８をガイドレール１１に沿って湾曲して延びる円弧状に成形しているから、遊技盤面をより広く使ってそのデザインの自由度をさらに向上させることができる。本実施形態では、可変入賞装置の開口を、互いに重なって後退収納される二枚のスライド蓋で開放しているから、開口を開放する際に従来のように蓋が遊技機の前方へ大きく傾倒することがない。また、開口８１２を二枚のスライド蓋８３，８４で閉鎖した状態の時には、それらのスライド蓋８３，８４で形成された面を湾曲した滑らかな形状（下り階段形状）で形成することができるので、そこを流下する遊技球Ｂがスライド蓋８３，８４の間等に引っ掛かって止まってしまうことを防止することができ、適切に下流側へと流下させることができる。なお、スライド蓋の枚数は二枚に限定されず、三枚以上で形成しても良いし、滑らかな形状で閉鎖可能であれば一枚で形成しても良い。
【００２６】
（第４実施形態）
図７には本発明の第４実施形態における可変入賞機構を設けた遊技機の遊技盤１の要部を示し、遊技領域における下方右領域Ｅ３の拡大図である。本実施形態においては、下方右領域Ｅ３の最上部にスルーゲート４３が設けられ、その斜め左下方に、入球によって表示装置２（図１）の図柄を変動させる始動入賞口としての機能を有するチューリップ型の電動役物９２が、さらにその斜め左下方に第３実施形態で説明したのと同様の可変入賞装置９３と遊技領域外のその下方に表示窓９４が設けられている。そして、可変入賞装置９３の左方の遊技領域における下端領域Ｅ２にさらに、入球によって表示装置２（図１）の図柄変更を始動させる始動入賞口９５が設けられている。このように各種遊技装置を遊技領域Ｅに配置した場合においては、第１実施形態でチューリップ型の電動役物３の下方に配設されていた、もう一方の可変入賞装置４１を設けていないので、その分、始動入賞口９５をより下方に配設することができる。また、スルーゲート４３、電動役物９２、可変入賞装置９３、表示窓９４を遊技領域Ｅの下方右領域Ｅ３にコンパクトにまとめて配置することができるから、遊技盤の遊技領域Ｅにおける下端領域Ｅ２や下方右領域Ｅ３に、表示装置２や装飾領域Ｆを拡大して自由度高く配設するための設置スペースをより広く設けることができ、遊技の興趣をさらに向上させることができる。  
【００２７】
この場合の遊技は以下のように行われる。すなわち、遊技球を球発射装置によって遊技領域Ｅ内に打ち出すと、遊技球は遊技領域Ｅ内を流下し下端領域Ｅ２に達する。ここで遊技球が始動入賞口９５に入賞すると、表示装置２の図柄が変動する（大当り抽選）。ここで図柄が特定の図柄で停止すると、いわゆる大当り状態となり、可変入賞装置９３が開放する。そこで、遊技球を大きな発射力で遊技領域Ｅ内に打ち出すことにより、遊技球は球流路１３を経て遊技領域Ｅ内における下方右領域Ｅ３に達し、可変入賞装置９３内へ進入し入賞する（大当り遊技）。大当り遊技終了後は、そのまま遊技球を大きな発射力で打ち続けて、遊技球をスルーゲート４３に通過させる。遊技球がスルーゲート４３を通過すると、別途当り抽選が行われる。当り抽選は、高確率で当選するように設定されており、当選するとチューリップ型の電動役物９２が所定回数開く遊技が行われる（時短遊技）。時短遊技中に、開いた電動役物９２に遊技球が入賞すると表示装置２の図柄が変動して大当り抽選が行われる。所定回数（例えば１００回）表示装置２の図柄が変動すると時短遊技は終了する。
【００２８】
（その他の実施形態）
ガイドレール外の遊技盤面に表示窓を設ける際の可変入賞装置としては、上記実施形態の構造以外に以下のようなものであっても良い。すなわち、表示窓の上方のガイドレールの一部を切り離して開口とし、ここに遊技領域内へ向けて回動開放する開閉部材を設ける。開閉部材が閉じている場合には遊技球はガイドレールと連続してその一部となっている開閉部材上を転動しガイドレールに沿って下方へ案内される。開閉部材が開くと、遊技球は当該開口を経て、外部から視認できる表示窓内へ落下する。この場合の開閉部材の他の例としては、遊技盤内へ後退することによって上記開口を開放する構造のものであっても良い。開閉部材が遊技盤内から進出してガイドレールと連続し開口を閉じている場合には、遊技球は開閉部材上を転動しガイドレールに沿って下方へ案内される。開閉部材が遊技盤内に後退して開口が開くと、遊技球は当該開口を経て、外部から視認できる表示窓内へ落下する。
【００２９】
上記各実施形態において、可変入賞装置および表示窓はガイドレールに沿って配設される装飾部材に設けることができる。また、スルーゲート、可変入賞装置、表示窓、電動役物、入賞口、およびアウト口のうちの適宜遊技部材、または全ての部材を一つのベース部材に一体的に設けてユニット化しても良い。上記各実施形態では可変入賞装置と表示窓を遊技領域における下方右領域に設けたが、下方左領域ないし下方の左右両領域に設けるようにしても良い。
【００３０】
また、視認可能な流下領域に設置する機構は上記各実施形態に限定されず、遊技球の振り分け機構等、遊技の興趣の向上が図られるものであれば、どのような機構、構成であっても良い。さらに、本可変入賞機構は、大当りになったときに開口部が開放される、いわゆる大入賞口に用いることに限定されず、普通電動役物等、遊技機に用いられるその他の可変入賞装置に実施しても良い。
【符号の説明】
【００３１】
１１…ガイドレール（遊技領域区画部材）、５，７，８…可変入賞装置、８１２…開口、８３，８４…スライド蓋、６１，６４，６７…表示窓（流下領域）、Ｅ…遊技領域、Ｅ３…下方右領域。
【図１】
2011019543.tif 000003
【図２】
2011019543.tif 000004
【図３】
2011019543.tif 000005
【図４】
2011019543.tif 000006
【図５】
2011019543.tif 000007
【図６】
2011019543.tif 000008
【図７】
2011019543.tif 000009